(57)【要約】【課題】液晶パネルが膨張して液晶パネルと液晶モジュールとが接触することを防止することができる構造を、装置を大型化することなく実現することができる液晶表示装置を備えた電子機器を提供する。【解決手段】液晶表示装置２９を備えた電子機器２０は、前記液晶表示装置２９が、液晶モジュール３７、３８と、前記液晶モジュール３７、３８の上方に設けられた液晶パネル３３を備え、前記液晶パネル３３が、前記液晶パネル３３の幅方向において伸長の自由度を有することを特徴とする。【選択図】図６
2010015189.tif 000002
【特許請求の範囲】
【請求項１】
バックライトアセンブリと、前記バックライトアセンブリの上方に設けられた液晶パネルを備えた液晶表示装置と、前記液晶パネルを上方から押さえて支持するフレームとを有する電子機器であって、
前記液晶表示装置は、前記バックライトアセンブリの下部を支持する液晶モジュールホルダーを備え、
前記フレームは、液晶パネル接触部と、前記液晶パネル接触部に対して折曲形成されたホルダー接続部とを有し、
前記液晶パネル接触部が前記液晶パネルの上面の両端部分に接し、前記ホルダー接続部が前記液晶モジュールホルダーに接続するように、前記フレームは設けられており、
前記液晶パネルの幅方向において、前記液晶パネルの端部と、前記フレームの前記液晶パネル接触部の内側面との間に前記間隙が形成され、前記液晶パネルが前記幅方向に伸長しても、前記液晶パネルの端部と、前記フレームの内側面とは接しないことを特徴とする電子機器。
【請求項２】
請求項１記載の電子機器であって、
前記フレームの前記液晶パネル接触部と、前記液晶パネルの上面との間に、防塵部材が設けられていることを特徴とする電子機器。
【請求項３】
請求項１または２記載の電子機器であって、
前記液晶パネルの下面であって、前記液晶パネルの略中央部分よりも外周側を支持する弾性体を備えることを特徴とする電子機器。
【発明の詳細な説明】
【技術分野】
【０００１】
本発明は、液晶表示装置を備えた電子機器に関し、より具体的には、液晶パネル及びバックライトアセンブリ等を有する液晶表示装置を備えた携帯情報端末等の電子機器に関する。
【背景技術】
【０００２】
液晶表示装置は、薄くて軽量であり、低電圧で駆動できて消費電力が小さいため、携帯電話機、ＰＤＡ（Ｐｅｒｓｏｎａｌ Ｄｉｇｉｔａｌ Ａｓｓｉｓｔａｎｔｓ）等の携帯情報端末、ノート型ＰＣ（パーソナルコンピュータ）等の携帯型ＰＣ、デスク型ＰＣ又はテレビ等の種々の電子機器の表示部に広く使用されている。
【０００３】
図１に、従来の液晶表示装置を備えた携帯電話機の正面図を示す。
【０００４】
図１に示す携帯電話機１０は、固定側ケース１と、この固定側ケース１にヒンジ２を介して開閉自在に連結された可動側ケース３とを備える。図１には、携帯電話機１０の可動側ケース３を開いた状態が示されている。
【０００５】
固定側ケース１は、扁平で略長方形状に形成されている。固定側ケース１の内側面４には、複数の押しボタン５、６及び７などが設けられている。また、可動側ケース３の内側面８には、液晶表示装置９等などが設けられている。
【０００６】
図２に、図１に示す液晶表示装置９の短手方向における断面図を示す。
【０００７】
図２に示すように、液晶表示装置９は、フロントケース１１と、リヤケース１２と、液晶（ＬＣＤ：Ｌｉｑｕｉｄ Ｃｒｙｓｔａｌ Ｄｉｓｐｌａｙ）パネル１３等を備える。
【０００８】
フロントケース１１は、例えば、樹脂又はマグネシウム合金等から成る成形品である。フロントケース１１の下面は、リヤケース１２の上端部と爪嵌合又は螺子留め等により接合されている。
【０００９】
フロントケース１１の上部には液晶パネル１３取り付け面１１ａが形成されており、液晶パネル取り付け面１１ａ上に、両面テープ１４を介して、例えばアクリル系ポリマーのポリメチルメタクリレート（ＰＭＭＡ）から成る液晶パネル１３が搭載されている。
【００１０】
図３に、図２において点線で囲んだ部分Ａを拡大して示す。図３に示すように、液晶パネル取り付け面１１ａは水平面に略平行な平坦面であり、液晶パネル１３の外周側部分が、両面テープ１４を介して液晶パネル取り付け面１１ａ上に固定されている。また、液晶パネル１３の端面と、フロントケース１１の上部の内側面との間には、寸法公差に起因する僅かな隙間を除き、間隙は形成されていない。
【００１１】
図２を再度参照するに、フロントケース１１の内側部分には、下面に基板１５が取り付けられた凹状の形状を有する液晶モジュールホルダー１６が設けられている。なお、基板１５には、チップコンデンサ等の電子部品が実装されているが、図２では、図示を省略している。液晶モジュールホルダー１６の凹部には、バックライトアセンブリ１７及び１８が重畳的に配設されている。
【００１２】
液晶モジュールホルダー１６の上縁面は、フロントケース１１の上部の下面に接しており、液晶モジュールホルダー１６は、フロントケース１１を支持している。また、バックライトアセンブリ１８の上縁部には、発泡ウレタンゴム等のクッション部材の防塵用パッキン１９が設けられており、当該防塵用パッキン１９は、液晶パネル１３の下面に接している。かかる構造により、バックライトアセンブリ１７及び１８に粉塵が付着することが防止される。
【００１３】
そのほか、光源をシャーシ又は反射部材のコーナー部に支持する光源支持部材を備え、リフレクタの一部がシャーシと光源支持部材との間に介在し、光源支持部材が、リフレクタの前面縁部の、導光板の前面と平行方向におけるシャーシとの間の相対移動を規制するバックライト及び液晶表示装置が提案されている（特許文献１参照）。
【先行技術文献】
【特許文献】
【００１４】
【特許文献１】特開２００４−１１１１５３号公報
【発明の概要】
【発明が解決しようとする課題】
【００１５】
しかしながら、図２に示す構造は、以下の問題を有する。
【００１６】
即ち、液晶パネル１３は、温度上昇や吸湿によって、図４（ａ）に矢印で示す方向に膨張しようとする。液晶パネル１３が吸湿に基づく膨張に因りより伸長する長さは、吸水率や板厚等に基づき定まるが、液晶パネル１３が、例えばアクリル系ポリマーのポリメチルメタクリレート（ＰＭＭＡ）から構成されて成る場合、吸水率は０．３％である。
【００１７】
一方、上述のように、液晶パネル１３の下面の外周部分は、両面テープ１４を介して液晶パネル取り付け面１１ａ上に固定されている。また、液晶パネル１３の端面と、フロントケース１１の上部の内側面との間には、寸法公差に起因する僅かな隙間を除き、間隙は形成されていない。
【００１８】
従って、液晶パネル１３は、温度上昇や吸湿によって膨張しようとするが、当該膨張に対応する水平方向（図４（ａ）に矢印で示す方向）の伸びは制限される。
【００１９】
その結果、図４（ｂ）に示すように、液晶パネル１３が、膨張した分、内側に（図４（ｂ）において下向きに）反ってしまい、液晶パネル１３の下面がバックライトアセンブリ１８の上面に接触（干渉）する場合がある。液晶パネル１３の下面がバックライトアセンブリ１８の上面に接触してしまうと、液晶パネル１３とバックライトアセンブリ１８との隙間に水滴が入り込んだように見えてしまう。その結果、液晶表示装置９の修理が余儀なくされる。
【００２０】
かかる問題に対応すべく、液晶パネル１３が膨張しても液晶パネル１３の下面とバックライトアセンブリ１８の上面とが接触しないよう、液晶パネル１３の下面とバックライトアセンブリ１８の上面との隙間を十分に大きくする態様が考えられる。しかしながら、かかる態様では、液晶表示装置９ひいては携帯電話機１０の装置の大型化を招いてしまう。
【００２１】
そこで、本発明は、上記の点に鑑みてなされたものであって、液晶パネルが膨張して液晶パネルとバックライトアセンブリとが接触することを防止することができる構造を、装置を大型化することなく実現することができる液晶表示装置を備えた電子機器を提供することを本発明の目的とする。
【課題を解決するための手段】
【００２２】
本発明の一観点によれば、液晶表示装置を備えた電子機器であって、前記液晶表示装置は、バックライトアセンブリと、前記バックライトアセンブリの上方に設けられた液晶パネルを備え、前記液晶パネルは、前記液晶パネルの幅方向において伸長の自由度を有することを特徴とする電子機器が提供される。
【００２３】
前記液晶パネルの幅方向において、前記液晶パネルの端部と、前記液晶パネルを上方から押さえて支持するフレームの内側面との間に間隙が形成されており、前記液晶パネルが前記幅方向に伸長しても、前記液晶パネルの端部と、前記フレームの内側面とは接しないこととしてもよい。
【００２４】
前記液晶表示装置は、バックライトアセンブリの下部を支持する液晶モジュールホルダーを備え、前記フレームは、液晶パネル接触部と、前記液晶パネル接触部に対して折曲形成されたホルダー接続部とを有し、前記液晶パネル接触部が前記液晶パネルの上面の両端部分に接し、前記ホルダー接続部が前記液晶モジュールホルダーに接続するように、前記フレームは設けられており、前記液晶パネルの端部と、前記フレームの前記液晶パネル接触部の内側面との間に前記間隙が形成されていてもよい。
【００２５】
前記フレームの前記液晶パネル接触部と、前記液晶パネルの上面との間に、防塵部材が設けられていてもよい。
【００２６】
前記液晶パネルの下面であって、前記液晶パネルの略中央部分よりも外周側を支持する弾性体を備えていてもよい。
【発明の効果】
【００２７】
本発明によれば、液晶パネルが膨張して液晶パネルとバックライトアセンブリとが接触することを防止することができる構造を、装置を大型化することなく実現することができる液晶表示装置を備えた電子機器を提供することができる。
【図面の簡単な説明】
【００２８】
【図１】従来の液晶表示装置を備えた携帯電話の正面図を示す。
【図２】図１に示す液晶表示装置の短手方向における断面図である。
【図３】図２において点線で囲んだ部分Ａを拡大して示す図である。
【図４】従来の液晶表示装置の問題点を説明するための断面図である。
【図５】本発明の第１の実施の形態に係る液晶表示装置を備えた携帯電話の斜視図を示す。
【図６】図５に示す液晶表示装置の短手方向における断面図である。
【図７】図６に示す液晶パネルが膨張した状態を示す図である。
【図８】図６において点線で囲んだ部分Ａの変形例を拡大して示す図である。
【発明を実施するための形態】
【００２９】
以下、本発明の実施の形態について説明する。
【００３０】
図５に、本発明の第１の実施の形態に係る液晶表示装置を備えた携帯電話機の斜視図を示す。
【００３１】
図５に示す携帯電話機２０は、固定側ケース２１と、この固定側ケース２１にヒンジ２２を介して開閉自在に連結された可動側ケース２３とを備える。図５には、携帯電話機２０の可動側ケース２３を開いた状態が示されている。
【００３２】
固定側ケース２１は、扁平で略長方形状に形成されている。固定側ケース２１の内側面２４には、複数の押しボタン２５、２６及び２７などが設けられている。また、可動側ケース２３の内側面２８には、液晶表示装置２９等などが設けられている。
【００３３】
図６に、図５に示す液晶表示装置２９の短手方向における断面図を示す。
【００３４】
図６に示すように、液晶表示装置２９は、液晶（ＬＣＤ：Ｌｉｑｕｉｄ Ｃｒｙｓｔａｌ Ｄｉｓｐｌａｙ）パネル３３と、略直角に折曲された板状部材であるフレーム４１と、基板３５と、液晶モジュールホルダー３６と、液晶モジュールホルダー３６の凹部に配設されたバックライトアセンブリ３７及び３８と、防塵用パッキン３９等を有する。
【００３５】
液晶パネル３３は、例えばアクリル系ポリマーのポリメチルメタクリレート（ＰＭＭＡ）から成る。
【００３６】
フレーム４１は、液晶パネル接触部４１ａと、液晶パネル接触部４１ａから延在形成され、液晶パネル接触部４１ａに対して略直角に折曲形成されたホルダー接続部４１ｂとから構成される。液晶パネル接触部４１ａは、液晶パネル３３の上面の両端部分及びその近傍上に位置している。ホルダー接続部４１ｂは、例えば、ホルダー接続部４１ｂに形成された穴部（図示を省略）と、液晶モジュールホルダー３６の対応する箇所に形成された爪部（図示を省略）との爪固定により、液晶モジュールホルダー３６に接続している。即ち、フレーム４１は、液晶モジュールホルダー３６に接続した状態で、液晶パネル３３の上方から液晶パネル３３の上面を押さえた構造となっている。
【００３７】
また、詳細は後述するが、液晶パネル３３の両端は、フレーム４１のホルダー接続部４１ｂの内側面から、例えば０．２ｍｍ等、所定長さ離間しており、液晶パネル３３の端部とフレーム４１のホルダー接続部４１ｂの内側面との間に間隙Ｔが形成されている。
【００３８】
このような構造を有するフレーム４１は、例えば、ステンレス鋼（ＳＡＳ）から成る。フレーム４１として、ステンレス鋼（ＳＡＳ）を用いた板状部材を用いることにより、装置全体の厚さが大きくなることを防止することができる。但し、液晶パネル３３の上方から液晶パネル３３の上面を押さえた構造である限り、フレーム４１の構成材料に特に制限はなく、樹脂又はマグネシウム合金等から成る成形品をフレーム４１として用いてもよい。また、当該フレーム４１の外側に、樹脂又はマグネシウム合金等から成る成形品を、外装ケースとして設けてもよい。
【００３９】
液晶パネル３３の下方には、下面に基板３５が取り付けられた凹状の形状を有する液晶モジュールホルダー３６が設けられている。液晶モジュールホルダー３６は、例えば、ステンレス鋼（ＳＡＳ）から成る。但し、液晶モジュールホルダー３６の構成材料に特に制限はなく、樹脂又はマグネシウム合金等から成る成形品を液晶モジュールホルダー３６として用いてもよい。
【００４０】
なお、基板３５には、チップコンデンサ等の電子部品が実装されているが、図６では、図示を省略している。液晶モジュールホルダー３６の凹部には、バックライトアセンブリ３７及び３８が重畳的に配設されている。
【００４１】
バックライトアセンブリ３８の上縁部には、発泡ウレタンゴム等のクッション部材である防塵用パッキン３９が設けられており、当該防塵用パッキン３９は、液晶パネル３３の下面に接し、液晶パネル３３の下面を支持している。かかる構造により、バックライトアセンブリ３７及び３８に粉塵が付着することが防止される。
【００４２】
かかる構造の下、液晶パネル３３は、温度上昇や吸湿によって、図７（ａ）に矢印で示す方向に膨張しようとする。液晶パネル３３の下面の外周部分は、両面テープ１４（図２参照）で固定されておらず、液晶パネル３３の端部とフレーム４１のホルダー接続部４１ｂの内側面とは離間しているため、液晶パネル３３の水平方向（図７（ａ）に矢印で示す方向）の伸びは制限されない。従って、平面方向でかかる膨張を吸収することができ、液晶パネル３３は膨張しても反ることはない。
【００４３】
換言すれば、液晶パネル３３の端部とフレーム４１のホルダー接続部４１ｂの内側面との間に形成された間隙Ｔは、液晶パネル３３が、水平方向（図７（ａ）に矢印で示す方向）に伸長してもなお、液晶パネル３３の端部とフレーム４１のホルダー接続部４１ｂの内側面との間に隙間が形成されるような長さに設定されている。これにより、液晶パネル３３が膨張しても、液晶パネル３３の幅方向（図７（ａ）に矢印で示す方向）に自由度が設けられているため、膨張した液晶パネル３３の端部は幅方向（図７（ａ）に矢印で示す方向）に逃げることができる。
【００４４】
このように、本例においては、液晶パネル３３の端部とフレーム４１のホルダー接続部４１ｂの内側面との間に間隙Ｔが形成され、フレーム４１のホルダー接続部４１ｂが液晶モジュールホルダー３６に接続され、防塵用パッキン３９により液晶パネル３３の下面が支持され、フレーム４１の液晶パネル接触部４１ａにより液晶パネル３３の上面が押さえられた構造となっている。
【００４５】
かかる構造により、液晶パネル３３は膨張しても反ることはなく、よって、液晶パネル３３の下面がバックライトアセンブリ３８の上面に接触（干渉）することを防止される。
【００４６】
また、液晶パネル３３は膨張しても反ることはないため、液晶パネル３３の下面とバックライトアセンブリ３８の上面との隙間Ｓを大きくする必要はない。よって、液晶表示装置２９及び携帯電話機２０の大型化を回避することができる。
【００４７】
ところで、図６に示す例では、フレーム４１の液晶パネル接触部４１ａは、液晶パネル３３の上面の両端部分及びその近傍上に直接配設されている。しかしながら、本発明はかかる構造に限定されず、図８に示す態様であってもよい。ここで、図８は、図６において点線で囲んだ部分Ａの変形例を拡大して示す図である。
【００４８】
図８に示す例では、フレーム４１の液晶パネル接触部４１ａは、液晶パネル３３の上面の両端部分及びその近傍上に、防塵部材５０を介して配設されている。
【００４９】
防塵部材５０として、例えば、片面テープやクッション部材等を用いることができる。フレーム４１の液晶パネル接触部４１ａと液晶パネル３３との間に、防塵部材５０を設けることにより、外部からの粉塵の進入を確実に防止することができる。また、防塵部材５０として、例えば、片面テープやクッション部材等を用いることにより、上述の防塵効果に加え、液晶パネル３３が膨張しても、液晶パネル３３の水平方向（図７（ａ）に矢印で示す方向）の伸びは制限されず、液晶パネル３３が反ってしまうことを防止することができる効果を奏することができる。
【００５０】
このように、本例の構造によれば、液晶パネル３３の下面がバックライトアセンブリ３８の上面に接触（干渉）することは防止されるため、液晶パネル３３とバックライトアセンブリ３８との隙間に水滴が入り込んだように見えてしまう現象の発生を、液晶パネル３３の下面とバックライトアセンブリ３８の上面との隙間を大きくすることなく、防止することができる。
【００５１】
なお、図６には、液晶表示装置２９の短手方向の断面が示されているが、本構造を、液晶表示装置２９の長手方向に対しても適用することができる。
【００５２】
以上、本発明の実施の形態について詳述したが、本発明は特定の実施形態に限定されるものではなく、特許請求の範囲に記載された本発明の要旨の範囲内において、種々の変形及び変更が可能である。
【００５３】
例えば、上述の各実施の形態においては、携帯電話機における液晶表示装置を例に本発明を説明したが、ＰＤＡ（Ｐｅｒｓｏｎａｌ Ｄｉｇｉｔａｌ Ａｓｓｉｓｔａｎｔｓ）等の携帯情報端末、ノート型ＰＣ（パーソナルコンピュータ）等の携帯型ＰＣ、デスク型ＰＣ又はテレビ等の他の電子機器の液晶表示装置に対しても本発明を適用することができる。
【００５４】
以上の説明に関し、更に以下の項を開示する。
（付記１）
液晶表示装置を備えた電子機器であって、
前記液晶表示装置は、バックライトアセンブリと、前記バックライトアセンブリの上方に設けられた液晶パネルを備え、
前記液晶パネルは、前記液晶パネルの幅方向において伸長の自由度を有することを特徴とする電子機器。
（付記２）
付記１記載の電子機器であって、
前記液晶パネルの幅方向において、前記液晶パネルの端部と、前記液晶パネルを上方から押さえて支持するフレームの内側面との間に間隙が形成されており、
前記液晶パネルが前記幅方向に伸長しても、前記液晶パネルの端部と、前記フレームの内側面とは接しないことを特徴とする電子機器。
（付記３）
付記１又は２記載の電子機器であって、
前記液晶表示装置は、バックライトアセンブリの下部を支持する液晶モジュールホルダーを備え、
前記フレームは、液晶パネル接触部と、前記液晶パネル接触部に対して折曲形成されたホルダー接続部と、を有し、
前記液晶パネル接触部が前記液晶パネルの上面の両端部分に接し、前記ホルダー接続部が前記液晶モジュールホルダーに接続するように、前記フレームは設けられており、
前記液晶パネルの端部と、前記フレームの前記液晶パネル接触部の内側面との間に前記間隙が形成されていることを特徴とする電子機器。
（付記４）
付記３記載の電子機器であって、
前記フレームの前記液晶パネル接触部と、前記液晶パネルの上面との間に、防塵部材が設けられていることを特徴とする電子機器。
（付記５）
付記４記載の電子機器であって、
前記防塵部材は、片面テープであることを特徴とする電子機器。
（付記６）
付記４記載の電子機器であって、
前記防塵部材は、クッション部材であることを特徴とする電子機器。
（付記７）
付記１乃至６いずれか一項記載の電子機器であって、
前記液晶パネルの下面であって、前記液晶パネルの略中央部分よりも外周側を支持する弾性体を備えることを特徴とする電子機器。
【符号の説明】
【００５５】
２０ 携帯電話機
２９ 液晶表示装置
３３ 液晶パネル
３６ 液晶モジュールホルダー
３７、３８ バックライトアセンブリ
３９ 防塵用パッキン
４１ フレーム
４１ａ 液晶パネル接触部
４１ｂ 液晶モジュールホルダー接続部
５０ 防塵部材
【図１】
2010015189.tif 000003
【図２】
2010015189.tif 000004
【図３】
2010015189.tif 000005
【図４】
2010015189.tif 000006
【図６】
2010015189.tif 000007
【図７】
2010015189.tif 000008
【図８】
2010015189.tif 000009
【図５】
2010015189.tif 000010